(57)【要約】【課題】押圧部材の係合部の小型化を図り、コンパクト容器の厚さを薄くすること。【解決手段】化粧料を収納する容器本体と、該容器本体にヒンジ部において開閉可能に取り付けられた蓋体とを有し、容器本体の、該ヒンジ部の反対端部に位置する係合凹部に前記蓋体を押し上げる押圧部材を摺動可能に取り付けたコンパクト容器であって、前記押圧部材は板体形状を有し、前記係合凹部の摺動範囲を規制し且つ前記係合凹部からの脱落を防止する係合部と、前記蓋体を押し上げる押圧部とを水平方向に並列して配置したことを特徴とする。【選択図】  図２
2004180827.tif 000002
【特許請求の範囲】
【請求項１】
化粧料を収納する容器本体と、該容器本体にヒンジ部において開閉可能に取り付けられた蓋体とを有し、容器本体の、該ヒンジ部の反対端部に位置する係合凹部に前記蓋体を押し上げる押圧部材を摺動可能に取り付けたコンパクト容器であって、
前記押圧部材は板体形状を有し、前記係合凹部の摺動範囲を規制し且つ前記係合凹部からの脱落を防止する係合部と、前記蓋体を押し上げる押圧部とを水平方向に並列して配置したことを特徴とするコンパクト容器。
【発明の詳細な説明】
【０００１】
【発明の属する技術分野】
本発明は、容器本体と蓋体とから構成される化粧用のコンパクト容器に関し、特に押圧部材により前記容器本体と前記蓋体との係合を解除する構成を有するコンパクト容器に関する。
【０００２】
【従来の技術】
従来の、押圧部材を有するコンパクト容器を図４に示す。図４は従来のコンパクト容器の押圧部材の係合部の説明図である。同図に示すように、従来のコンパクト容器には、化粧料を収納する皿枠５１ａを有する容器本体５１と、裏面に鏡Ｍを取り付けた蓋体５１とから構成されたものがある。容器本体５１及び蓋体５２は、互いの後部でヒンジ部にて連結され、蓋体５２の前部に配設されたフック形状の係止部５２ａにより互いに係止されている。
【０００３】
容器本体５１の前部には、中央に押圧部５３ａが形成される押圧部材としての押圧部材５３を係合させるための係合凹部５４が形成される。係合凹部５４には、押圧部材５３を前後に摺動させつつガイドするガイドリブ５４ａと、押圧部材５３下部の係合突起５３ａが摺動し前後方向への抜けを防ぐためのアンダーカットを配設したガイド溝５４ｂと、押圧部材５３の回転による上下方向の抜けを防止する幅広リブ５４ｃとが配設されている。このように、係合凹部５４がこれらの機能を有するため、押圧部材５３を容器本体５１に対して確実に係合させることができる。
【０００４】
また、係合凹部５４には、蓋体５２の係止部５２ａを係止するための係止突起５４ｄが配設される。このため、蓋体５２を閉じると、係止部５２ａと係止突起５４ｄとが係止し合い、蓋体５２が容器本体５１に確実に係止される。
【０００５】
以上の構成により、使用者がコンパクト容器の蓋体５２を開く時には、使用者が押圧部材５３を押すと、係止部５２ａ前部の傾斜面が押されることで、係止部５２ａには上方へ押し出される力が働き、係止部５２ａと係止突起５４ｄとの係止が外すことができる（図４（ｂ）参照）。
【０００６】
【発明が解決しようとする課題】
しかしながら、押圧部材を容器本体に対して係合させるためには、上述のようなガイドリブ、ガイド溝、幅広リブ等の多くの機能が必要である。このため、押圧部材においてそれらの部材を別々の部位に積み上げ式に構成すると、押圧部材の係合部が大型化せざるを得ず、容器本体もそれに伴って大型にせざるを得ないという問題があった。
【０００７】
本発明の目的は、押圧部材の係合部の小型化を図り、コンパクト容器の厚さを薄くすることである。
【０００８】
【課題を解決するための手段】
上記目的を達成するための、本発明の代表的な構成は、化粧料を収納する容器本体と、該容器本体にヒンジ部において開閉可能に取り付けられた蓋体とを有し、容器本体の、該ヒンジ部の反対端部に位置する係合凹部に前記蓋体を押し上げる押圧部材を摺動可能に取り付けたコンパクト容器であって、前記押圧部材は板体形状を有し、前記係合凹部の摺動範囲を規制し且つ前記係合凹部からの脱落を防止する係合部と、前記蓋体を押し上げる押圧部とを水平方向に並列して配置したことを特徴とする。
【０００９】
【発明の実施の形態】
本発明の実施形態を図面を用いて説明する。図１はコンパクト容器の斜視図であり、図２は押圧部材と容器本体との係合を説明する図であり、図３は押圧部材を押すことにより蓋体の係止を外す動作を示す図である。
【００１０】
図１に示すように、本発明の化粧用のコンパクト容器Ａは、化粧料を収納する皿枠１ａを有する容器本体１と、容器本体１と容器後部においてヒンジ部５で連結され裏面に鏡Ｍを配する蓋体２と、蓋体２と容器本体１との係止を解除するため容器本体前部に係合された押圧部材３とを有する。また、容器本体１には、蓋体２を係止し且つ押圧部材３を係合するための係合凹部４が形成されている。
【００１１】
（押圧部材の容器本体に対する係合構成）
図２（ａ）に示すように、押圧部材３と容器本体１の係合凹部４との構成について説明する。以下の構成により、押圧部材３と係合凹部４とは、互いに確実に係合される（図２（ｂ）参照）。
【００１２】
押圧部材３は、板体形状に形成され、幅方向の中央に蓋体２の容器本体１に対する係止を外すための押圧部３ａを有し、幅方向両端の上部に係合凹部４と係合するための係合爪３ｂを有し、幅方向両端の下部に係合凹部４に挿入される挿入部３ｃを有する。ここで、係合爪３ｂ及び挿入部３ｃは、板状に形成された押圧部材３の端面に溝ｇを掘ることで形成する。このように、押圧部３ａと係合爪３ｂとを水平方向に並列して配置することによって、押圧部材３の縦方向の高さを抑えることができる。
【００１３】
一方、押圧部材３を係合させる係合凹部４の奥側には、中央部上端に蓋体２を係止するための係止突起４ａが配設され、両端部上部に係合爪３ｂと係合する係合爪４ｂが配設され、両端部下部に挿入部３ｃの挿入される挿入口４ｃが配設される。ここで、係合凹部４に配された係合爪４ｂは、押圧部材３と確実に係合し、かつ確実にガイドするための複数の機能を有する。
【００１４】
具体的に説明すると、係合爪４ｂは押圧部材３の係合爪３ｂと挿入部３ｃとの間に入り込むため、押圧部材３を前後方向に滑らかに摺動させることができる。また、係合爪４ｂは先端に爪部を有するため、押圧部材３側の係合爪３ｂと互いに係合することで、押圧部材３の前後方向の抜けを防止することができる。更に、係合爪４ｂは、係合爪３ｂと挿入部３ｃとの間に配設されて挿入部３ｃを押さえる構成であるため、押圧部材３の上下方向の抜けを防止することができる。
【００１５】
このように、押圧部材３を係合凹部４に確実に係合させ前後に摺動させるための機能、即ち押圧部材３を前後方向にガイドさせる機能と、押圧部材３の前後方向の抜けを防止する機能と、押圧部材３の上下方向の抜けを防止する機能とを、係合凹部４の係合爪４ｂに集約させたことで、係合凹部４に複数の部材を配置する必要がなくなる。このため、複数の部材を配置していたスペースを節約することができる。特に図４に示す従来例のガイド溝を形成する必要がないため、係合凹部４及びこれに係合する押圧部材３を、特に縦方向に、小さく形成することができる。従って、特に容器本体１の縦方向の厚みを、より小さく形成することができる。
【００１６】
（コンパクト容器の使用時の動作）
以上の構成により、押圧部材３は容器本体１に構成した係合凹部４に対して、前後方向に摺動可能に、係合することができる。この状態において、蓋体２と容器本体１との係止を解除する方法について図を用いて詳細に説明する。
【００１７】
図３（ａ）はコンパクト容器の未使用時の状態を示す断面図である。図に示すように、コンパクト容器Ａの未使用時には、容器本体１に形成された係合凹部４の係止突起４ａが、蓋体２の前部に配設された係止部２ａの係止溝２ａ１に係止される。こうして蓋体２は容器本体１に固定され、皿枠１ａ内の化粧料を確実に収納する。
【００１８】
図３（ｂ）はコンパクト容器の使用時の状態を示す断面図である。図に示すように、コンパクト容器の使用時には、使用者はまず、押圧部材３を容器本体１に向かって押す。すると、押圧部材の押圧部３ａが係止部２ａ前部の傾斜面２ａ２を押すため、係止部２ａには上方へ押し出される力が働き、この力により係止部２ａが、係止突起４ａとの係止を解除する。その後、押圧部３ａが傾斜面２ａ２を摺動しつつ蓋体２を上方へ押し上げる。こうして蓋体２が容器本体１から離間し、使用者は化粧料を取ることができる。
【００１９】
（他の実施形態）
本実施形態では、中央に押圧部３ａを形成し、この押圧部の両側に係合部たる係合爪３ｂを形成したが、本発明はこれに限られるものではなく、中央に係止爪を形成し、この係止爪の両側に押圧部を形成してもよい。また、本実施形態では押圧部３ａが突起として形成し、これを蓋体の係止部２ａに形成された傾斜面２ａ２に押し当てて、蓋体２を持ち上げる構造としたが、反対に押圧部を傾斜面として形成し、蓋体に形成した突起を当接させてこれを持ち上げる構造としてもよい。
【００２０】
【発明の効果】
このように、本発明では押圧部材を板体形状を有し、水平方向に並んで係合部と押圧部を形成したので、縦方向の高さを抑えることができ、もってコンパクト容器の厚さを薄くすることができる。
【図面の簡単な説明】
【図１】コンパクト容器の斜視図である。
【図２】押圧部材と容器本体との係合を説明する図である。
【図３】押圧部材を押すことにより蓋体の係止を外す動作を示す図である。
【図４】従来のコンパクト容器の押圧部材係合部の説明図である。
【符号の説明】
Ａ  …コンパクト容器、Ｍ  …鏡、ｇ  …溝、
１  …容器本体、１ａ  …皿枠、
２  …蓋体、２ａ  …係止部、２ａ１  …係止溝、２ａ２  …傾斜面、
３  …押圧部材、３ａ  …押圧部、３ｂ  …係合爪、３ｃ  …挿入部、
４  …係合凹部、４ａ  …係止突起、４ｂ  …係合爪、４ｃ  …挿入口、
５  …ヒンジ部
【図１】
2004180827.tif 000003
【図２】
2004180827.tif 000004
【図３】
2004180827.tif 000005
【図４】
2004180827.tif 000006